(57)【要約】【課題】カップ食品の蓋密閉の確実性と密閉性の向上を図ることができる汎用性の高いカップ食品ホルダーを提供する。【解決手段】蓋２ｃを有するカップ本体２ａ内に食品を収容したカップラーメン２等のカップ食品を保持し剛性を有する、取手５を備えたホルダー本体３と、このホルダー本体３に配設され、蓋２ｃを外部から押えて閉状態に保持する一方、その閉状態の解除が可能のストッパー４と、を具備し、ストッパー４は、ホルダー本体３に、その高さ方向に調節可能、かつ着脱可能に配設されている。【選択図】  図１
0003172361.tif 000002
【実用新案登録請求の範囲】
【請求項１】
開閉蓋を有する容器内に食品を収容したカップ食品を保持し剛性を有する、取手を備えたホルダー本体と、
このホルダー本体に配設され、前記開閉蓋を外部から押えて閉状態に保持する一方、その閉状態の解除が可能のストッパーと、
を具備し、
前記ストッパーは、前記ホルダー本体に、その高さ方向に調節可能、かつ着脱可能に配設されていることを特徴とするカップ食品ホルダー。
【請求項２】
前記ホルダー本体は、その全体がプラスチックにより形成され、前記カップ食品の下底部を保持する下底部保持部、前記カップ食品の上部を保持する上部保持部、この上部保持部と前記下底部保持部とを連結する連結部、この連結部または前記上部保持部に配設された前記取手、前記ストッパーを高さ方向移動可能に支持するストッパー支持部を具備していることを特徴とする請求項１記載のカップ食品ホルダー。
【請求項３】
前記ストッパー支持部は、前記上部支持部上に立設され、高さ方向に沿って形成された縦溝、この縦溝の頂端に形成された開口およびこの縦溝の高さ方向に複数配設され、この縦溝よりも、幅が大きい矩形の係止用切欠を具備し、
前記ストッパーは、その高さ方向に前記ストッパー支持部を挿入させる挿入用縦溝およびこの挿入用縦溝に直交する方向に横架され、前記ストッバー支持部の縦溝と係止用切欠にそれぞれ移動可能に係合する嵌合部を具備していることを特徴とする請求項１または２記載のカップ食品ホルダー。
【請求項４】
前記ホルダー本体は、径方向に伸縮可能に構成されていることを特徴とする請求項１〜３のいずれか１項に記載のカップ食品ホルダー。
【請求項５】
前記ストッパーは、前記カップ食品を掴む箸やフォーク等の掴み部材を前記開閉蓋上で着脱可能に保持する保持部を具備していることを特徴とする請求項１〜４のいずれか１項に記載のカップ食品ホルダー。
【請求項６】
前記ストッパーは、その外形がフィギュア等の具象形に形成されていることを特徴とする請求項１〜５のいずれか１項に記載のカップ食品ホルダー。
【考案の詳細な説明】
【技術分野】
【０００１】
本考案は、カップラーメンやカップ焼きそば等のインスタント食品またはチャーハンや混ぜご飯等の食品をカップ内に収容したカップ食品を安全かつ便利に保持するカップ食品ホルダーに関する。
【背景技術】
【０００２】
従来から、カップフード（食品）を保持するホルダーの一例としては、樹脂製の容器内にインスタントラーメンを収容したカップラーメンを保持するカップラーメンホルダーが知られている（例えば、特許文献１参照）。
【０００３】
このカップラーメンホルダーは、そのカップ内に熱湯を注入した後、カップの膜状の蓋を閉じた状態で押える蓋部を具備している。
【先行技術文献】
【特許文献】
【０００４】
【特許文献１】特開平８−２１７１０５号公報
【考案の概要】
【考案が解決しようとする課題】
【０００５】
しかしながら、このような従来のカップラーメンホルダーでは、カップラーメンの蓋を蓋部の単なる自重により押えているに過ぎないので、蓋の密閉が不安定であるうえに、蓋の密閉度が低いという課題がある。
【０００６】
このために、ラーメンの茹で上がり時間が遅くなるうえに、このカップラーメンホルダーを持ち歩いた場合には、上下動により蓋部が上下動し易く、カップから熱湯や熱いスープが吹き出し、ユーザに火傷を負わせる危険性がある。
【０００７】
また、このカップラーメンホルダーでは、カップラーメンの使用に限定され、チャーハンや混ぜご飯等電子レンジにより加熱する他のフード（食品）に使用する点については全く考慮されていない。
【０００８】
本考案が解決しようとする課題は、カップ食品の蓋の密閉の確実性と密閉性の向上を図ることができる汎用性の高いカップ食品ホルダーを提供することにある。
【課題を解決するための手段】
【０００９】
本実施形態は、開閉蓋を有する容器内に食品を収容したカップ食品を保持し剛性を有する、取手を備えたホルダー本体と、このホルダー本体に配設され、前記開閉蓋を外部から押えて閉状態に保持する一方、その閉状態の解除が可能のストッパーと、を具備している。
【００１０】
また、本実施形態は、ストッパーが、前記ホルダー本体に、その高さ方向に調節可能、かつ着脱可能に配設されている。
【図面の簡単な説明】
【００１１】
【図１】本考案の第１の実施形態に係るカップ食品ホルダーの使用時の一例を示す斜視図。
【図２】図１で示すホルダー本体とストッパーの斜視図。
【図３】（Ａ）は図２で示すストッパーの正面図、（Ｂ）は同，ストッパーの嵌合部がストッパー支持板の上段係止用切欠に係合した状態を示す一部縦断面で示す一部切欠側面図、（Ｃ）は同（Ａ）で示すストッパーを横倒したときの状態を一部縦断面で示す側面図。
【図４】図１〜図３で示すストッパーを横倒してカップフードの蓋を開けた状態の斜視図。
【図５】（Ａ）はストッパーの嵌合部をストッパー支持板の下段係止用切欠に係合させた状態を一部縦断面で示す側面図、（Ｂ）は同（Ａ）で示すストッパーを横倒したときの状態を一部縦断面で示す側面図。
【図６】本考案の第２の実施形態に係るカップ食品ホルダーの伸長時の斜視図。
【図７】本考案の第３の実施形態に係るカップ食品ホルダーの斜視図。
【図８】図７で示すカップ食品ホルダーの使用時の一例を示す斜視図。
【図９】図８の側面図。
【図１０】本考案の第４の実施形態のカップ食品ホルダーの斜視図。
【図１１】図１０の側面図。
【考案を実施するための形態】
【００１２】
以下、本考案の実施形態を図面に基づいて説明する。なお、複数の図面中、同一または相当部分には同一符号を付している。
【００１３】
（第１の実施形態）
図１は、本考案の第１の実施形態に係るカップ食品ホルダーの使用時の一例を示す斜視図である。この図１に示すように、カップ食品ホルダー１は、カップフード（食品）の一例であるカップラーメン２を保持するホルダー本体３に、ストッパー４を着脱可能に装着している。
【００１４】
カップラーメン２は、例えば発泡スチロール等樹脂製の容器の一例であるほぼ逆円錐台状のカップ本体２ａ内に、インスタントラーメンを収容し、カップ本体２ａの開口端２ｂに、膜状またはシール状の円形の蓋２ｃを開閉蓋の一例として剥離可能に接着して、この開口端２ｂを密閉している。この蓋２ｃの一端には、その開閉の際に手で掴むための摘み舌片２ｄを一体に形成している。
【００１５】
図２に示すようにホルダー本体３は、その全体が例えばＡＢＳ（アクリロニトリル・ブタジエン・スチレン）樹脂やメラミン樹脂等の弾性を有する樹脂により、カップラーメン２のカップ本体２ａに適合する逆円錐台状であって、若干大形に形成されている。ホルダー本体３は、カップラーメン２の下部と底部を含む下底部２ｅを保持する下底部保持部３ａ、前記カップラーメン２の上部２ｆを保持する上部保持部３ｂ、を有する。
【００１６】
さらに、ホルダー本体３は、この上部保持部３ｂと下底部保持部３ａを、図中上下方向で連結する複数、例えば左右一対の連結部３ｃ，３ｄを有し、さらに、この連結部３ｃ，３ｄの一方、例えば３ｃの上部に、所要形状、例えば倒立Ｌ字状の取手５を一体に形成している。
【００１７】
下底部保持部３ａは、例えば偏平有底円筒状に形成され、底部中央部には円形等所要形状の開口を形成してもよく、閉じてもよい。
【００１８】
上部保持部３ｂは、円形環状に形成され、その図１中上端の上方に、カップラーメン２の開口端２ｂを突出させる高さに形成されている。左右一対の連結部３ｃ，３ｄは、上部保持部３ｂと下底部保持部３ａとを、例えばこれらの直径方向で対向する位置にて、図中上下方向で一体に連結している。これら連結部３ｃ，３ｄは帯板により形成され、その内面をカップラーメン２の湾曲外面にほぼ適合する湾曲面に形成している。
【００１９】
また、図２に示すように左右一対の連結部３ｃ，３ｄの一方、例えば３ｃは、上部保持部３ｂと一体に結合される結合部上端上に、平板状のストッパー支持部６を一体に立設し、上方へ若干突出させている。
【００２０】
ストッパー支持部６は、クランク状に折曲して外側方へ突出するストッパー支持板６ａを有し、このストッパー支持板６ａに縦溝６ｂを形成している。縦溝６ｂは、ストッパー支持板６ａの図２中、縦方向に形成され、その上端を開口させる一方、その上部と下部（終端）に、矩形、例えば菱形の係止用切欠の一例である例えば上段、下段のノッチ６ｃ，６ｄを複数形成している。但し、これら上，下段ノッチ６ｃ，６ｄは上下２段に限定されず、３段以上設けてもよく、また１段でもよい。
【００２１】
図３（Ａ）はストッパー４とストッパー支持板６ａの一部拡大拡大正面図である。ストッパー４は、ストッパー本体４ａを有する。このストッパー本体４ａは、その外形を例えばうさぎ等のフィギュア、または漫画やアニメーションのキャラクター等具象物に形成されている。このストッパー本体４ａは、そのフィギュアの足等の底部４ｂを、カップラーメン２の蓋２ｃの摘み舌片２ｄ等の図中上面に、その上方から開口端２ｂ側へ押え付けて、閉状態に保持する蓋押えに形成している。
【００２２】
また、ストッパー本体４ａは、その正面下部に、ストッパー支持板６ａを下端開口から挿入させる所要長の挿入用縦溝４ｃを軸方向（縦方向）に形成している。
【００２３】
この挿入用縦溝４ｃは、ストッパー本体４ａの下半部にて、その前面から背面へ貫通する貫通孔であって、その図中下端が開口し、図中縦方向中間部にて、その溝幅方向に横架された嵌合部の一例である嵌合棒４ｄを形成している。
【００２４】
図３（Ｂ）に示すように嵌合棒４ｄは、その軸横断面が上記上，下段ノッチ６ｃ，６ｄの菱形にほぼ適合する菱形に形成され、その菱形角部からストッパー板６ａの縦溝６ｂ内に、その上端開口から嵌入され、縦方向に摺動して上段，下段ノッチ６ｃ，６ｄにそれぞれ係脱可能に係合されることにより、着脱可能かつ高さ方向調節可能に構成されている。
【００２５】
そして、図３（Ｃ）、図４に示すようにストッパー４は、その嵌合棒４ｄをストッパー支持板６ａの上，下段ノッチ６ｃ，６ｄの一方、例えば６ｃに嵌合させている状態で、カップラーメン２の反対側へ横倒しされることにより、ストッパー本体４ａの底部４ｂを図中上方へ向けさせることにより、この底部４ｂにより押え付けていたカップラーメン２の蓋２ｃを解放する。これにより、蓋２ｃはカップ本体２ａの開口端２ａを開口させることができる。
【００２６】
図５（Ａ）はストッパー４をストッパー支持板６ａ側へ強く押し込み、ストッパー４の嵌合棒４ｄをストッパー支持板６ａの下段ノッチ６ｃに嵌合させることにより、ストッパー４の高さを低く調節した状態を示しており、同図（Ｂ）は、この低位置でストッパー４を横倒した状態を示している。すなわち、カップラーメン２の高さに応じてストッパー４の高さを適宜調節できる。
【００２７】
次に、このように構成されたカップ食品ホルダー１の使用方法を説明する。
【００２８】
まず、カップラーメン２を、その蓋２ｃを開けた状態でカップホルダー本体３内に収容する。または、カップラーメン２をカップホルダー本体３内に収容してから蓋２ｃの一部を開け、この一部開口からカップ本体２ａ内に所要量の熱湯を注入する。
【００２９】
この後、この一部開口を蓋２ｃにより閉じ、摘み舌片２ｄをカップ本体２ａの開口端２ｂの突出端部裏側へ折り込み、閉蓋状態を保持させる。
【００３０】
一方、ストッパー本体４は、ストッパー支持板６ａに装着され、図４に示すようにカップラーメン２の高さに適合した位置に調節され、外側に横倒しされている。
【００３１】
すなわち、まず、図１，図３（Ａ）に示すように、ストッパー４を直立させた状態で、その挿入用溝４ｃ内に、その下端からストッパー支持板６ａを挿入させ、嵌合棒４ｄを例えば上段ノッチ６ｃに嵌合させる。
【００３２】
次に、図３（Ｃ），図４に示すようにストッパー４を横倒しておく。
【００３３】
この後、蓋２ｃを閉じたカップラーメン２をカップホルダー本体３内に収容した状態で中心軸回りに所要角回動させ、摘み舌片２ｄをストッパー４の底部４ｂとほぼ同じ位置に位置させる。
【００３４】
次に、ユーザにより、ストッパー４を直立させるように回動すると、ストッパー４の底部４ｂがカップラーメン２の摘み舌片２ｄ上で直立する。このために、ストッパー４の底部４ｂが摘み舌片２ｄの上面をその上方から下方へ押え込むので、閉蓋状態で保持される。
【００３５】
この後、所要時間経過してカップラーメン２の蓋２ｃを開く場合は、図３（Ｃ），図４に示すようにストッパー４を横倒しする。これにより、ストッパー４の底部４ｂが図中上方へ向くので、この底部４ｂによる蓋２ｃの押えが解除される。
【００３６】
次に、ユーザが摘み舌片２ｄを持って開けることによりカップラーメン２内のインスタントラーメンを食することができる。その食事の際には、カップ食品ホルダー１の取手５を持つことにより、カップラーメン２の熱いカップ本体２ａを直接持つことがないので、火傷を負う虞もない。また、変形し易い熱いカップ本体２ａを握ったときに、カップ本体２ａが変形して、その内部の熱いスープが外部に漏れ、ユーザの手が火傷する等の虞を低減できる。つまり、安全にインスタントラーメンを食することができる。
【００３７】
また、カップラーメン２のまくれ易い膜状の蓋２ｃをストッパー４の底部４ｂにより確実に押え付けて閉蓋状態を保持するので、その閉蓋状態の確実性と密閉性の向上を図ることができる。
【００３８】
（第２の実施形態）
図６は本考案の第２の実施形態に係るカップ食品ホルダー１Ａの斜視図である。このカップ食品ホルダー１Ａは、上記ホルダー本体３を径方向に伸縮可能のホルダー本体１３に構成した点に特徴があり、これ以外は上記カップ食品ホルダー１と同様の構成であるので、重複した説明は省略する。
【００３９】
すなわち、ホルダー本体１３は、有底円筒状の下底部保持部１３ａと、リング状の上部保持部１３ｂとを、それぞれ軸方向に複数、例えば２等分等に分割して、図中左右一対の下底部保持部１３ａ１，１３ａ２と、同，上部保持部１３ｂ１，１３ｂ２とをそれぞれ形成している。下底部保持部１３ａ１，１３ａ２は底部を含む。
【００４０】
そして、この左右一対の下底部保持部１３ａ１，１３ａ２は、その切断部の所要領域を例えば中空壁構造にそれぞれ構成し、これら中空壁構造の底部を含む下底部対向端部１３ａ３，１３ａ４同士間に、底部を含む円弧板状の底部接続板１４ａ，１４ｂをそれぞれ摺動可能に挿入し、これら下底部対向端１３ａ３，１３ａ４同士を周方向に伸長可能に接続している。
【００４１】
また、これら底部接続板１４ａ，１４ｂと下底部対向端部１３ａ３，１３ａ４は、下底部保持部１３ａが最大限伸長したときに、相互に係止する係止部（図示省略）をそれぞれ有し、下底部保持部１３ａ，１３ｂが最大径以上に拡径しないように構成されている。
【００４２】
さらに、左右一対の上部保持部１３ｂ１，１３ｂ２も、その切断部の所要領域を中空壁構造にそれぞれ構成し、これら中空壁構造の各上部対向端部１３ｂ３，１３ｂ４同士間に、円弧板状の上部接続板１５ａ，１５ｂをそれぞれ摺動可能に挿入し、これら上部対向端部１３ｂ３，１３ｂ４同士を伸長可能に接続している。
【００４３】
そして、上部接続板１５ａ，１５ｂと、上部対向端部１３ｂ３，１３ｂ４は、上部保持部１３ｂが最大限伸長したときに、相互に係止する係止部（図示省略）をそれぞれ有し、上部保持部１３ｂが最大径以上に拡径しないように構成されている。
【００４４】
したがって、このカップ食品ホルダー１によれば、カップラーメン２の大きさに応じてホルダー本体１３を拡径または縮径できる。このために、１台のカップ食品ホルダー１Ａにより、大きさの異なるカップラーメン２を使用できる。
【００４５】
（第３の実施形態）
図７〜図９は第３の実施形態に係るカップ食品ホルダー１Ｂの斜視図である。このカップ食品ホルダー１Ｂは上記ストッパー４に、掴み部材の一例である箸１６を保持する箸保持部１７を形成した点に特徴がある。
【００４６】
すなわち、図７に示すように箸保持部１７は、例えばボール形状等に形成され、ストッパー４側のボールの内側を切欠してストッパー４の前面との間に、コ字状の凹部１７ａを形成している。
【００４７】
このために、図８に示すように蓋２ｃを閉じたカップラーメン２をカップ本体３内に収容したときに、２本一対の箸１６を箸保持部１７のコ字状凹部１７ａ内に、その側面から挿入することにより、この箸１６を、箸保持部１７と蓋２ｃとにより挟持することができる。
【００４８】
このカップ食品ホルダー１Ｂによれば、箸１６をカップラーメン２と共に保持できるので、箸１６を直ちに使用できるうえに、箸１６の紛失を防止できる。
【００４９】
（第４の実施形態）
図１０は第４の実施形態に係るカップ食品ホルダー１Ｃの斜視図、図１１は図１０の側面図である。カップ食品ホルダー１Ｃは、図１０，図１１に示すようにストッパー４を取り付けた連結部３ｃに対し径方向反対側の連結部３ｄに連結された上部保持部３ｂの外面に、フォーク保持部１８を突設している点に特徴がある。
【００５０】
フォーク保持部１８は、インスタントラーメンを掴むフォーク１９を着脱可能に保持するものであり、フォーク１９の軸部１９ａを保持する図１１中、左右一対の円弧板状の保持板１８ａ，１８ｂを対向配置して上部保持部８ｂの外面に一体に形成している。これら左右一対の保持板１８ａ，１８ｂの対向端同士間には、フォーク１９の軸部１９ａの板厚方向にひねって出入させる出入用スリット１８ｃを形成している。
【００５１】
したがって、このカップ食品ホルダー１Ｃによっても、フォーク１９をカップラーメン２と共に保持できるので、フォーク１９を直ちに使用できるうえに、フォーク１９の紛失を防止できる。
【００５２】
なお、上記各実施形態ではカップフードとしてカップラーメン２を用いた場合について説明したが、本考案はこれに限定されるものではなく、例えば、インスタントのうどんやそば、春雨、スパゲッティ、等の麺類やご飯類をカップ容器に収容し、熱湯で茹でるインスタント食品、または、ご飯類や麺類を電子レンジで加熱する食品をカップ容器に収容した食品についても用いることができる。
【００５３】
また、上記ホルダー本体３は、その下底部保持部３ａと上部保持部３ｂとを一体に連成して間隙の無い円筒状に形成してもよく、さらに、下底部保持部３ａと上部保持部３ｂとをネット部材により連結してもよい。さらに取手５は倒立Ｌ字形に限定されず、いかなる形状でもよい。
【００５４】
以上、本考案の幾つかの実施形態を説明したが、これらの実施形態は、例として提示したものであり、本考案の範囲を限定することは意図していない。これら新規な実施形態は、その他の様々な形態で実施されることが可能であり、本考案の要旨を逸脱しない範囲で、種々の省略、置換え、変更を行うことができる。これら実施形態やその変形は、本考案の範囲や要旨に含まれるとともに、実用新案登録請求の範囲に記載された考案とその均等の範囲に含まれる。
【符号の説明】
【００５５】
１，１Ａ，１Ｂ，１Ｃ…カップ食品ホルダー、２…カップラーメン、２ａ…カップ本体、２ｂ…開口端、２ｃ…蓋、２ｄ…摘み舌片、３…ホルダー本体、３ａ…下底部保持部、３ｂ…上部保持部、４…ストッパー、４ｃ…挿入用縦溝、４ｄ…嵌合棒、５…取手、６…ストッパー支持部、６ａ…ストッパー支持板、６ｂ…縦溝、６ｃ…上段ノッチ、６ｄ…下段ノッチ、１３…ホルダー本体、１３ａ１，１３ａ２…左右一対の下底部保持部、１３ａ３，１３ａ４…下底部対向端部、１３ｂ１，１３ｂ２…左右一対の上部保持部、１３ｂ３，１３ｂ４…上部対向端部、１４ａ，１４ｂ…底部接続板、１５ａ，１５ｂ…上部接続板、１６…箸。
【図１】
0003172361.tif 000003
【図２】
0003172361.tif 000004
【図３】
0003172361.tif 000005
【図４】
0003172361.tif 000006
【図５】
0003172361.tif 000007
【図６】
0003172361.tif 000008
【図７】
0003172361.tif 000009
【図８】
0003172361.tif 000010
【図９】
0003172361.tif 000011
【図１０】
0003172361.tif 000012
【図１１】
0003172361.tif 000013